(57)【要約】【課題】  作業性を向上したり組み付け不良を起き難くして製造費を低減可能にす。【解決手段】 本体２が前側端面に取り付けられた別体のカバー３と、カバー用の取付部より後方側に設けられた容器保持用凹所２０と、凹所２０に入れられる容器の周囲に当接することで当該容器を拘束するフラップ４とを備えているカップホルダー１において、本体２の前端面に凹所２に通じる切欠部２９を設けると共に、フラップ４をカバー３の背面側に支持し、かつカバー３を本体２に取り付けることでフラップ４を切欠部２９から凹所２内へ突出配置する。【選択図】        図２
2006341800.tif 000002
【特許請求の範囲】
【請求項１】
本体が前端面側に取り付けられた別体のカバーと、前記カバー用の取付部より後方側に設けられた容器保持用凹所と、前記凹所に入れられる容器の周囲に当接することで当該容器を拘束するフラップとを備えているカップホルダーにおいて、
前記本体の前端面に前記凹所に通じる切欠部を設けると共に、前記フラップを前記カバーの背面側に支持し、かつ前記カバーを前記本体に取り付けることで前記フラップを前記切欠部から前記凹所内へ突出配置することを特徴とするカップホルダー。
【請求項２】
前記カバーは、前記本体に対し互いの対向面に設けられている凸部と凹部との係合により取り付けられる請求項１に記載のカップホルダー。
【請求項３】
前記フラップは基端側に設けられた左右の脚部、及び前記各脚部にそれぞれ同軸線上に設けられている取付用軸部を有していると共に、前記カバーは背面側に突設した左右の支持部、及び前記各支持部に設けられて前記軸部を嵌合枢支する軸穴、並びに前記フラップが前記軸部と軸穴との嵌合を介して回動される際の回動範囲を規制する規制部とを有している請求項１又は２に記載のカップホルダー。
【請求項４】
前記両脚部に対向して設けた突起に保持されて、前記フラップを前記カバーに枢支した状態でカバー背面から離れる方向へ付勢するばね部材を有している請求項３に記載のカップホルダー。
【発明の詳細な説明】
【技術分野】
【０００１】
本発明は、自動車や船舶等の室内に装備されるカップホルダーのうち、特に本体が前端面に取り付けられた別体のカバーを有しているカップホルダーに関する。
【背景技術】
【０００２】
図８は特許文献１に開示されているカップホルダーを示し、同（ａ）は斜視図、同（ｂ）は要部分解図である。このカップホルダー６０は、本体６１の前端面側に取り付けられた別体のカバー６２と、カバー６２の後方側に設けられた容器保持用凹所６３と、凹所６３に入れられる容器の周囲に当接することで当該容器を拘束するフラップ６４とを備え、コンソールボックス５０のうち、後側に開口した状態に設けられている収納部５１に対し、前方向へ摺動した格納位置と後方向へ摺動した引出位置と切り換えられる。この場合、収納部５１には、カップホルダー６０の摺動を案内するガイド部材５２が内設されている。
【０００３】
ここで、カバー６２は、本体６１の前端面を覆って装飾すると共に、引出操作時に指を差し込む開口６２ａなど形成している。この例では、灰皿６５がカバー６２の下側に傾動可能に組み込まれている。凹所６３は、容器を余裕を持って挿入可能な大きさに設定されている。フラップ６４は、本体６１の前端面６１ａ側に対し枢軸６４ａを介し回動可能に支持されると共に、不図示のばね部材により、水平状態を維持するよう上向きに付勢されている。そして、フラップ６４は、容器が凹所６３に挿入される過程で下向きに傾動しながら容器外周に当たることで、当該容器を径方向から拘束して容器の不用意ながたつきを防ぐようにする。
【０００４】
【特許文献１】特開平１１−４２９７４号公報
【発明の開示】
【発明が解決しようとする課題】
【０００５】
上記したような従来構造では、カバーが本体に後付けされるため、本体がカバーを一体に形成しているタイプよりも意匠性を付与し易く、また、例えば車種別に外観を変更したいような場合にカバー形状の変更だけで対処することも可能となる。しかしながら、従来構造では、本体にフラップを取り付けていることに起因して、フラップの取付作業を改善したり製造費を低減し難かった。これは、図８に例示されるように、本体の凹所のうち、見栄え上の制約からフラップを作業し難い箇所に支持したり、ばね部材を組み付けなくてはならないからである。そこで、本発明の目的は、以上のような問題を簡易な構成により解消し、作業性を向上したり組み付け不良を起き難くして製造費を低減可能にすることである。
【課題を解決するための手段】
【０００６】
本発明者らは、上記目的を達成するため、例えば、本体とカバーとを共に樹脂成形することを想定し、その場合、各部材の成形性、フラップの取付性と作動特性等から検討を重ねてきた結果、本発明を完成した。すなわち、本発明特徴は、本体が前端面側に取り付けられた別体のカバーと、前記カバー用の取付部より後方側に設けられた容器保持用凹所と、前記凹所に入れられる容器の周囲に当接することで当該容器を拘束するフラップとを備えているカップホルダーにおいて、前記本体の前端面に前記凹所に通じる切欠部を設けると共に、前記フラップを前記カバーの背面側に支持し、かつ前記カバーを前記本体に取り付けることで前記フラップを前記切欠部から前記凹所内へ突出配置することにある。
【０００７】
また、以上の構造において、前記カバーは前記本体に対し互いの対向面に設けられている凸部と凹部との係合により取り付けられること（請求項２）、前記フラップは基端側に設けられた左右の脚部、及び前記各脚部にそれぞれ同軸線上に設けられている取付用軸部を有していると共に、前記カバーは背面側に突設した左右の支持部、及び前記各支持部に設けられて前記軸部を嵌合枢支する軸穴、並びに前記フラップが前記軸部と軸穴との嵌合を介して回動される際の回動範囲を規制する規制部とを有していること（請求項３）、前記各脚部に対向して設けた突起に保持されて、前記フラップを前記カバーに枢支した状態でカバー背面から離れる方向へ付勢するばね部材を有していること（請求項４）がより好ましい。
【発明の効果】
【０００８】
以上の本発明は次のような効果を有している。
・請求項１の発明では、フラップをカバーに取り付けると、本体に取り付けるよりも作業性を改善し易く、本体凹所から目視し難いカバーの背面側にフラップ用支持部や回動規制部を設けるため外観特性も向上できる。
・請求項２の発明では本体にカバーをワンタッチで取り付けることができる。
・請求項３の発明ではフラップの枢支構造及び回動規制構造として簡易に実現できる。・請求項４の発明では、ばね部材を簡単に組み付けてフラップを水平方向に付勢することができる。
【発明を実施するための最良の形態】
【０００９】
以下、本発明の形態例について図面を参考しながら説明する。図１〜図５はカップホルダー及びその構成部材を示し、図６及び図７は要部作動を示している。以下の説明では、構造を明らかにした後、組立及び要部作動に言及する。
【００１０】
（構造）形態例のカップホルダー１は、本体２の前端面側（本体が引出式であれば引き出される側にある端面、要は最も見え易い側の端面を指す）に取り付けられた別体のカバー３と、本体２のうちカバー３の後方側に設けられた容器保持用凹所２０と、凹所２０に入れられる容器の周囲に当接することで当該容器を拘束するフラップ４と、コイル形ばね部材５とを備えている。なお、本体２とカバー３並びにフラップ４は共に樹脂成形品であるが、樹脂以外であってもよい。また、カップホルダー１は、例えば、文献１と同様に引出体として具体化されて、自動車のインストルメントパネルやコンソールボックス等に設けられている収納部に対し、前方向へ摺動した格納位置と後方向へ摺動した引出位置と切り換えられる。
【００１１】
本体２は、図２及び図３に示されるように、前壁部２３と中間壁部２４との間にある容器保持用凹所２０と、中間壁部２４と後壁部２５との間にある灰皿又は小物収納用凹所２１とを形成している。凹所２０は、凹所２１より深く設定され、それに対応して底面２２のうち、凹所２０の底面２２ａが凹所２１の底面２２ｂより低くなっている。凹所２０の内形状は、前壁部２３と中間壁部２４との左右中間部分２３ａ，２４ａを互いに近づくよう突出され、それにより右空間２０ａと左空間２０ｂとに分かれ、各空間２０ａ，２０ｂに容器がそれぞれ入れられるよう設定されている。凹所２１の内形状は、幅広で浅い空間となっている。
【００１２】
また、前壁部２３は、外端面周囲を縁取りしている枠状縁部２７のうち、上張出部の端面と両側張出部の端面とに設けられた複数の係合用凸部２８ａ、及び下張出部の中間背面側に設けられた係合用凹部２８ｂ（図７を参照）と、外端面のうち左右に設けられ前記凹所２１に通じている切欠部２９とを有している。後壁部２５には、本体２を不図示のケースやハウジングに摺動可能に配置するとき、本体２をケースやハウジング側から不用意に抜けないようにする規制突起２５ａなどが設けられている。両側壁２６には、上縁に沿って設けられて、前記ケースやハウジングに設けられるガイド部に嵌合する嵌合部２６ａなどが設けられている。
【００１３】
カバー３は、図２と図４及び図６に示されるように、略Ｌ形の上縁３０と下縁３１及び両縁３２を有して本体前壁部２３の外端面及び枠状縁部２７を覆う形状をなしている。上縁３０及び両縁３２には、本体側の凸部２８ａに係合する複数の凹部３３ａが背面側に設けられている。下縁３１には、本体側の凹部２８ｂに係合する凸部３３ｂが背面側に設けられている。
【００１４】
また、カバー３の背面側は、左右に位置しかつぞれそれ対に突設されている２組の支持部３４と、各支持部３４に同軸線上に設けられている軸穴３５と、支持部３４同士の基端間を連結した状態に設けられている補強用横リブ３６とを有している。２組の支持部３４は、本体側の左右の切欠部２９に対応しており、外側面に突出された横リブにより補強されると共に、最先端をフラップ用回動規制部３７として形成されている。軸穴３５は、後述するフラップ側の軸部４２を微動可能な長穴形状に形成されている。横リブ３６は、ばね部材５の一端を係止する箇所として利用される。
【００１５】
フラップ４は、図２と図５及び図６に示されるように、凹所２０内に配置される舌状部４０と、前記舌状部の基端側に設けられている左右の脚部４１，４１と、前記各脚部の外側面にそれぞれ設けられている取付用軸部４２と、前記各脚部の内側面に対向して設けられている突起４３，４３と、前記各脚部の基端から外側に略Ｌ形に突設した当接部４４と、脚部４１同士の基端間を連結した状態に設けられている補強用横リブ４５とを有をしている。舌状部４０は突出端を弧状４０ａに形成している。
【００１６】
（組立）以上のカバー３は、２個のフラップ４をコイル形のばね部材５と共に組み付けた状態で、本体２に対し取り付けられる。まず、ばね部材５は、図６から推察されるように、ばね部材長さ方向に縮小された状態で両脚部４１の間に配置された後、縮小方向の押力を解放すると、両脚部４１の各突起４３がばね巻部の対応端側内に差し込まれ、それにより各フラップ４に対し支持される。次に、フラップ４は、両脚部４１の軸部４２がカバー側の対応する支持部３４の軸穴３５にそれぞれ差し込まれることによりカバー３に対し枢支される。この場合、ばね部材５は、例えば、一方側のばね端末が横リブ３６の下面側に係止された状態で、他方側のばね端末がバネチャージする方向に回動しながら横リブ４５の下面側に係止される。
【００１７】
これにより、フラップ４は、通常時において、図６（ｂ）のごとくばね部材５の付勢力により軸部４２を支点として時計回りに回動されて、当接部４４が規制部３７に下側から衝突した状態、つまりカバー３を本体２に装着した取付状態で略水平に跳ね上げられている。一方、カバー取付操作では、カバー３が本体前壁部２３の外端面に押し付けられると、上及び両側において各凹部３３ａが対応する凸部２８ａに弾性的に係合し、かつ、下側において凸部３３ｂが凹部２８ｂに弾性的に係合することにより、本体２に対しワンタッチで装着される。
【００１８】
（作動）以上のカップホルダー１は、本体２が容器保持用凹所２０及び該凹所２０に接近した外端面に付設されるカバー３並びに容器拘束用フラップ４を有する構造において、次のような作動ないしは利点を具備できる。まず、成形関係では、フラップ４を単純形状つまり概略板状のカバー３側に支持するようにしたため、凹所等複雑形状となる本体２の形状をそれなりに簡素化し、その結果、本体用射出成形型を安価に製造できるだけではなく、樹脂成形時のひけ、す、クラックなどの発生を抑えて歩留まりを向上できる。また、組立関係では、フラップ４及びばね部材５を概略板状のカバー３に取り付ける方が大きなブロック状の本体２に組み付けるよりも、作業性を改善し易くなったり、自動組み付けも実現可能となる。これは、フラップ４の取付箇所が作用上及び見栄え上から凹所２０の外側でかつ目視し難い箇所に設定されるからである。
【００１９】
また、以上のフラップ４は、左右の脚部４１の外側面に同軸線上に位置している取付用軸部４２，４２、並びに各脚部４１の内側面に対向している突起４３，４３を有し、両突起４３を利用してばね部材５を保持した状態から、両側の軸部４２がカバー３の対応する軸穴３５にワンタッチで係合枢支される。この枢支状態では、フラップ４がカバー３の背面〜略水平位置まで回動され、当接部４４を規制部３７に当接することにより回動規制される。また、通常状態では、フラップ４がばね部材５により略水平に跳ね上げられている。
【００２０】
フラップ４は、容器（缶、瓶、コップ等）が凹所２０（空間２０ａや２０ｂ）に挿入されるとき、ばね部材５の付勢力に抗して容器底面により押し下げられ、かつ、容器を凹所内においてフラップ４と反端側に動かしながら、最終的に容器周囲に当接し、当該容器をフラップ先端と凹所の対向内側面との間に拘束する。また、フラップ４は、容器が凹所２０から持ち上げられる際に、軸部４２が軸穴３５を微動し、該微動を伴って容器周囲に対するフラップ先端側の抵抗を減じてスムースな取出操作を可能にする。
【００２１】
なお、以上の形態例は本発明を何ら制約するものではない。本発明の本体及びカバー並びにフラップは請求項１で特定される要件を備えておればよく、細部は必要に応じて種々変更可能なものである。
【図面の簡単な説明】
【００２２】
【図１】（ａ）、（ｂ）は形態例のカップホルダーを示す上面と側面図である。
【図２】上記本体を分解して示す概略構成図である。
【図３】（ａ）〜（ｃ）は上記本体からカバーを外した状態を示す上面と側面並びにＡ−Ａ線断面図である。
【図４】（ａ）〜（ｅ）はカバーを示す上面と正面と側面とＣ−Ｃ線断面とＤ−Ｄ線断面図である。
【図５】（ａ）〜（ｃ）はフラップの上面と下面と側面図である。
【図６】（ａ）と（ｂ）はカバー取付状態を示す部分上面図と側面図である。
【図７】（ａ）と（ｂ）は図３のＢ−Ｂ線に沿って断面したカバー取付前後の態様を示す図である。
【図８】特許文献１のカップホルダー構造を示す説明図である。
【符号の説明】
【００２３】
１…カップホルダー
２…本体（２０と２１は凹所、２３は前壁部）
３…カバー（３４は支持部、３５は軸穴、３６は横リブ、３７は規制部）
４…フラップ（４１は脚部、４２は軸部、４３は突起、４４は当接部）
５…ばね部材
２８ａ…係合用凸部
２８ｂ…係合用凹部
２９…切欠部
３３ａ…係合用凹部
３３ｂ…係合用凸部
【図１】
2006341800.tif 000003
【図２】
2006341800.tif 000004
【図３】
2006341800.tif 000005
【図４】
2006341800.tif 000006
【図５】
2006341800.tif 000007
【図６】
2006341800.tif 000008
【図７】
2006341800.tif 000009
【図８】
2006341800.tif 000010